(57)【要約】      （修正有）【課題】無線接続システムにおけるマルチキャスト連結識別子割当装置および方法に関するもので、より詳細に無線接続システムにおいて、ＭＢＳ（Ｍｕｌｔｉｃａｓｔ  ａｎｄ  Ｂｒｏａｄｃａｓｔ  Ｓｅｒｖｉｃｅ）モードを利用してユーザにマルチキャスト連結識別子を割当てる装置を提供する。【解決手段】ＭＢＳチャネルを選択して、バッファ割当政策を行い、前記バッファ割当政策に応じて所定の大きさの分だけのバッファ空間をデータのタイプ別に各々割当て、前記ＭＢＳチャネルの連結要請に応じて前記データにＭＣＩＤ値を付与し、前記ＭＣＩＤに該当するＭＢＳバースト領域を有するフレームを受信し、前記ＭＣＩＤに対応するＭＢＳバースト領域のデータを分類して抽出して保存し、前記バッファ領域に保存されたデータのＩＰヘッダに含まれたマルチキャストＩＰアドレス情報を利用して前記ＭＢＳチャネルを識別してサービスをする。【選択図】図４Ａ
2011124982.tif 000002
【特許請求の範囲】
【請求項１】
無線接続システムでマルチキャスト連結識別子割当装置において、
放送サービスを提供するサーバが位置するコンテンツ分配網とデータを交換して、前記データのヘッダ情報を抽出する第１送受信部と、
無線区間のデータ伝達規格に応じて前記データをフレーム単位で構成する組立部と、
前記組立てられたフレームを受信する端末と前記フレームを交換して、前記無線区間からＭＢＳチャネル連結要請メッセージを受信する第２送受信部と、
前記抽出されたヘッダ情報を分析して前記データの属性情報を抽出し、前記抽出された属性情報を利用して前記データの類型を分析する第１分析部と、
前記ＭＢＳチャネル連結要請メッセージを分析してチャネル情報を抽出する第２分析部と、
前記コンテンツ分配網とＭＢＳバースト予約メッセージを交換して、前記ＭＢＳバースト予約メッセージと前記チャネル情報を利用してＭＢＳバースト領域を予約および割当て、前記データにＭＣＩＤを割当てて、前記ＭＣＩＤに対応するＭＢＳチャネルの登録状態を管理する制御部と、
を備えることを特徴とする基地局。
【請求項２】
前記第１分析部が、
前記データがＭＢＳデータの場合にはマルチメディア情報を利用して前記データをビデオデータ、オーディオデータまたはテキストデータに、さらに分類することを特徴とする請求項１に記載の基地局。
【請求項３】
前記制御部が、
ＭＢＳデータの属性に応じて割当てられたＭＣＩＤ、ユーザＩＤ  ｏｒ  Ｃｏｎｎｅｃｔｉｏｎ  Ｉｄｅｎｔｉｆｉｅｒ  （ＣＩＤ）、前記要請された放送チャネルに対するマルチキャストＩＰアドレスを保存するＭＣＩＤテーブルを含むことを特徴とする請求項１に記載の基地局。
【請求項４】
前記制御部が、
前記端末を使用するユーザの接続が最初接続の場合には前記ＭＣＩＤテーブルに記録された各々のＭＣＩＤに対応するバースト領域を予約することを特徴とする請求項１に記載の基地局。
【請求項５】
前記制御部が、
前記端末を使用するユーザの接続が最初接続でない場合には前記属性情報を前記ＭＣＩＤテーブルに更新することを特徴とする請求項１に記載の基地局。
【請求項６】
前記組立部が、
前記属性情報と前記ＭＢＳバーストの割当情報を利用して前記データに対応されるＭＢＳバースト領域を構成し、前記構成されたＭＢＳバースト領域とユニキャスト領域を結合してフレームを組立てることを特徴とする請求項１に記載の基地局。
【請求項７】
前記属性情報が、
前記データのＩＰアドレス、目的地ＩＰアドレスを含むことを特徴とする請求項１に記載の基地局。
【請求項８】
前記チャネル情報が、
ＭＢＳチャネル連結要請メッセージを送ったユーザのユーザＩＤまたはＣＩＤ、ＭＢＳ形態のサービス連結要請可否、プログラムＩＤ、放送チャネルのマルチキャストＩＰアドレスを含むことを特徴とする請求項１に記載の基地局。
【請求項９】
前記割当通知メッセージが、
ＭＢＳチャネルデータのビデオ、オーディオ、テキスト属性によるＭＣＩＤ値を含むことを特徴とする請求項１に記載の基地局。
【請求項１０】
前記ＭＣＩＤが、
前記加入者が要請する放送チャネルを構成するデータの属性に応じてあらかじめ決定された値であることを特徴とする請求項１に記載の基地局。
【請求項１１】
前記ＭＣＩＤが、
全体放送領域に前記あらかじめ決定された値に決定されることを特徴とする請求項１０に記載の基地局。
【請求項１２】
前記データの類型が、
ビデオデータ、オーディオデータ、およびテキストデータを含むことを特徴とする請求項１に記載の基地局。
【請求項１３】
無線接続システムでマルチキャスト連結識別子割当装置において、
加入者の制御に応じてサービスを要請したり終了し、サービスの遂行による結果を加入者に提供するアプリケーションプログラム実行部と、
前記要請されたサービスをＭＢＳサービスまたはユニキャストサービスに分類し、前記サービス要請が最初の要請であるかどうかの可否を判断し、前記判断によりバッファ割当政策を生成および伝達する要請分析部と、
前記バッファ割当政策に応じてバッファを割当てたり解除し、前記割当てられたバッファ空間を管理するバッファ制御部と、
情報伝達のためのフレームを構成して、物理階層の伝送特性に応じて無線区間に前記構成されたフレームを伝送するフレーム送信部と、
無線接続網を介して伝達されるパケットを、物理階層を介して受信し、受信された信号を復号化するフレーム受信部と、
前記復号化されたフレームに含まれた無線区間連結識別子を利用して受信されたフレームに含まれた情報をパケット単位で分類して所定のバッファ空間に伝達するフレーム分類部と、
データのタイプに応じてパケット単位で分類されたデータを保存するフレームバッファと、
を備えることを特徴とする端末。
【請求項１４】
前記加入者が、
ＭＢＳサービスを要請する時、データの属性に応じて割当てられたＭＣＩＤを受信することを特徴とする請求項１３に記載の端末。
【請求項１５】
前記データのタイプが、
ビデオデータ、オーディオデータ、およびテキストデータを含むことを特徴とする請求項１３に記載の端末。
【請求項１６】
前記バッファ割当政策が、
前記データのタイプに応じて独立したバッファの割当に使用される政策であることを特徴とする請求項１３に記載の端末。
【請求項１７】
無線接続システムでマルチキャスト連結識別子割当方法において、
ＭＢＳチャネルを選択して、バッファ割当政策を行うステップと、
前記バッファ割当政策に応じて所定の大きさの分だけのバッファ空間をデータのタイプ別に各々割当てるステップと、
前記ＭＢＳチャネルの連結要請に応じて前記データにＭＣＩＤ値を付与するステップと、
前記ＭＣＩＤに該当するＭＢＳバースト領域を有するフレームを受信し、前記ＭＣＩＤに対応するＭＢＳバースト領域のデータを分類して抽出するステップと、
前記抽出されたデータのＭＣＩＤに対応するバッファ領域に前記抽出されたデータを保存するステップと、
前記バッファ領域に保存されたデータのＩＰヘッダに含まれたマルチキャストＩＰアドレス情報を利用して前記ＭＢＳチャネルを識別してサービスを提供するステップと、
を含むことを特徴とする連結識別子割当方法。
【請求項１８】
前記バッファ割当政策が、
前記データのタイプに応じて独立したバッファの割当に使用される政策であることを特徴とする請求項１７に記載の連結識別子割当方法。
【請求項１９】
前記ＭＣＩＤが、
前記加入者が要請する放送チャネルを構成するデータの属性に応じてあらかじめ決定された値であることを特徴とする請求項１８に記載の連結識別子割当方法。
【請求項２０】
前記ＭＣＩＤが、
全体放送領域に前記あらかじめ決定された値に決定されることを特徴とする請求項１８に記載の連結識別子割当方法。
【発明の詳細な説明】
【技術分野】
【０００１】
本発明は、無線接続システムにおけるマルチキャスト連結識別子割当装置および方法に関するもので、より詳細に無線接続システムにおいて、ＭＢＳ（Ｍｕｌｔｉｃａｓｔ  ａｎｄ  Ｂｒｏａｄｃａｓｔ  Ｓｅｒｖｉｃｅ）モードを利用してユーザにマルチキャスト連結識別子を割当てる装置および方法に関するものである。
【背景技術】
【０００２】
一般的に、通信システムは音声サービス中心に発展してきており、順次音声だけでなくデータサービスおよび多様なマルチメディアサービスも可能な通信システムに発展している。しかし、音声メインの通信システムは、伝送帯域幅が比較的小さく、使用料が高いため、急増するユーザのサービスへの欲求を充足させることができなかった。その上、通信産業の発達とインターネットサービスに対するユーザの要求の増加によってインターネットサービスを効率的に提供できる通信システムに対する必要性が増大している。これに伴い急増するユーザの要求を充足させる程度の広域を有し、効率的にインターネットサービスを提供する無線接続システムが導入された。
【０００３】
無線接続システムは音声だけでなく低速および高速の多様なデータサービス、高画質動画等のマルチメディア応用サービスを統合支援するためのシステムである。このようなマルチメディアデータはＨ．２６２、例えばＭＰＥＧ２−ＴＳ規格に準じて地上波、ケーブル、ＩＰ等の多様なネットワークを介して伝送される。
【０００４】
ＭＰＥＧ２−ＴＳは、マルチメディアデータをビデオ、オーディオおよびその他データのＥＳ（ｅｌｅｍｅｎｔａｒｙ  ｓｔｒｅａｍ）に分類し、各ＥＳはまた最大６４キロバイト（Ｋｂｙｔｅ）単位のＰＥＳ（ｐａｃｋｅｔｉｚｅｄ  ｅｌｅｍｅｎｔａｒｙ  ｓｔｒｅａｍ）に分類され、各ＰＥＳは伝達網の特性に合うパケットヘッダを利用して伝達される。伝達網がＩＰの場合、ＰＥＳは１８８バイト（Ｂｙｔｅ）の固定長パケットに分割された後、ＲＴＰ／ＵＤＰ／ＩＰのようなヘッダを追加することによって加入者に伝達される。
【０００５】
前記無線接続システムの規格、例えばＩＥＥＥ  ８０２．１６には多数の移動端末にマルチキャストおよびブロードキャストを提供できるマルチキャストおよびブロードキャストサービス（Ｍｕｌｔｉｃａｓｔ  ａｎｄ  Ｂｒｏａｄｃａｓｔ  Ｓｅｒｖｉｃｅ：以下「ＭＢＳ」という）規格が存在する。前記ＭＢＳ規格では互いに異なるＣＩＤ（Ｃｏｎｎｅｃｔｉｏｎ  ＩＤｅｎｔｉｆｉｅｒ）または互いに異なるＳＡ（Ｓｅｃｕｒｉｔｙ  Ａｓｓｏｃｉａｔｉｏｎ）を介して同じマルチキャスト、ブロードキャストサービス地域を区分することができる。
【０００６】
ここで、ＭＢＳゾーン（ＭＢＳ＿ＺＯＮＥ）は、前記ＣＩＤとＳＡを介してブロードキャスト、マルチキャストサービスが有効な地域であるということを示すために使用され、基地局はダウンリンクチャネル記述子（Ｄｏｗｎｌｉｎｋ  Ｃｈａｎｎｅｌ  Ｄｅｓｃｒｉｐｔｏｒ：ＤＣＤ）メッセージによってＭＢＳゾーン情報を放送する。すなわち、前記ＭＢＳゾーン（Ｚｏｎｅ）は、コンテンツを伝送するために同じＣＩＤとＳＡを使用する基地局グループといえる。
【０００７】
ＭＢＳサービスは、ＭＢＳゾーン単位でマクロダイバーシティ（Ｍａｃｒｏ  ｄｉｖｅｒｓｉｔｙ）技法を活用することによって高画質ビデオおよび高音質のオーディオ等、多様なチャネルを同時に伝送することができる。このようなＭＢＳゾーン単位の放送サービスを提供するためにＩＥＥＥ８０２．１６規格は、ＭＢＳゾーン識別子（ＭＢＳ  Ｚｏｎｅ  Ｉｄｅｎｔｉｆｉｅｒ：以下「ＭＢＳゾーンＩＤ」という）とマルチキャスト連結識別子（Ｍｕｌｔｉｃａｓｔ  Ｃｏｎｎｅｃｔｉｏｎ  ＩＤ：以下「ＭＣＩＤ」という）を指定している。
【０００８】
前記ＭＢＳゾーンＩＤのサイズは８ビットであり、最大１２８個のＭＢＳゾーンに制限され、ＭＣＩＤのサイズは１２ビットで、０ｘＦＥＡ０−０ｘＦＥＦＥと表現され、最大９４個のＭＣＩＤに制限されている。１つのＭＢＳゾーンは、種々の基地局で構成された１つのグループであり、１つのＭＣＩＤは、該当ＭＢＳゾーン内で各々の放送チャネルに対するユニーク（ｕｎｉｑｕｅ）の対応値である。前記ＭＢＳゾーンが異なる場合、前記ＭＣＩＤはユニークではない。すなわち、ＭＢＳゾーンが異なる場合、他の放送チャネルが同じＭＣＩＤを有することができ、同じ放送チャネルが他のＭＣＩＤを有することもできる。
【０００９】
しかし、このようなＭＢＳサービス方式ではＭＣＩＤおよびＭＢＳ  ｚｏｎｅ  ＩＤを介した時間、空間および放送チャネルの区分、そして使用可能なＭＣＩＤ値とＭＢＳ  ｚｏｎｅ  ＩＤ値の制限によって、加入者の放送チャネルの変更による放送チャネル間の転換時間の遅延、基地局間のハンドオーバーによる連続的なサービス維持の困難が存在し、広い地域を移動中である加入者に適切なチャネル転換時間と切れのない（ｓｅａｍｌｅｓｓ）放送サービスを提供するにおいて多くの制約が従っている。
【００１０】
したがって、成功的な移動型放送サービスの支援のためには広い地域を移動中の加入者に切れのない放送サービスと適切なチャネル転換時間を同時に提供できる方法とこのような方法を遂行する装置が必要である。
【発明の概要】
【発明が解決しようとする課題】
【００１１】
したがって、本発明は、無線接続システムにおいて、ＭＢＳ（Ｍｕｌｔｉｃａｓｔ  ａｎｄ  Ｂｒｏａｄｃａｓｔ  Ｓｅｒｖｉｃｅ）モードを利用してユーザにマルチキャスト連結識別子を割当てる装置および方法を提供する。
【００１２】
また、本発明は、無線接続システムにおいて、ＭＢＳサービス要請時のデータの類型に応じて所定のＭＣＩＤを割当て、割当てられたＭＣＩＤを全体放送領域に同一の値で固定するマルチキャスト連結識別子を割当てる装置および方法を提供する。
【課題を解決するための手段】
【００１３】
前記した目的を解決するために本発明の一実施形態による無線接続システムにおけるマルチキャスト連結識別子割当装置は、放送サービスを提供するサーバが位置するコンテンツ分配網とデータを交換して、前記データのヘッダ情報を抽出する第１送受信部と、無線区間のデータ伝達規格に応じて前記データをフレーム単位で構成する組立部と、前記組立てられたフレームを受信する端末と前記フレームを交換して、前記無線区間からＭＢＳチャネル連結要請メッセージを受信する第２送受信部と、前記抽出されたヘッダ情報を分析して前記データの属性情報を抽出し、前記抽出された属性情報を利用して前記データの類型を分析する第１分析部と、前記ＭＢＳチャネル連結要請メッセージを分析してチャネル情報を抽出する第２分析部と、前記コンテンツ分配網とＭＢＳバースト予約メッセージを交換して、前記ＭＢＳバースト予約メッセージと前記チャネル情報を利用してＭＢＳバースト領域を予約および割当て、前記データにＭＣＩＤを割当てて、前記ＭＣＩＤに対応するＭＢＳチャネルの登録状態を管理する制御部とを備える。
【００１４】
本発明の一実施形態による無線接続システムにおけるマルチキャスト連結識別子割当装置は、加入者の制御に応じてサービスを要請したり終了し、サービスの遂行による結果を加入者に提供するアプリケーションプログラム実行部と、前記要請されたサービスをＭＢＳサービスまたはユニキャストサービスに分類し、前記サービス要請が最初の要請であるかどうかの可否を判断し、前記判断によりバッファ割当政策を生成および伝達する要請分析部と、前記バッファ割当政策に応じてバッファを割当てたり解除し、前記割当てられたバッファ空間を管理するバッファ制御部と、情報伝達のためのフレームを構成して、物理階層の伝送特性に応じて無線区間に前記構成されたフレームを伝送するフレーム送信部と、無線接続網を介して伝達されるパケットを、物理階層を介して受信し、受信された信号を復号化するフレーム受信部と、前記復号化されたフレームに含まれた無線区間連結識別子を利用して受信されたフレームに含まれた情報をパケット単位で分類して所定のバッファ空間に伝達するフレーム分類部と、データのタイプに応じてパケット単位で分類されたデータを保存するフレームバッファとを備える。
【００１５】
本発明の一実施形態による無線接続システムにおけるマルチキャスト連結識別子割当方法は、ＭＢＳチャネルを選択して、バッファ割当政策を行うステップと、前記バッファ割当政策に応じて所定の大きさの分だけのバッファ空間をデータのタイプ別に各々割当てるステップと、前記ＭＢＳチャネルの連結要請に応じて前記データにＭＣＩＤ値を付与するステップと、前記ＭＣＩＤに該当するＭＢＳバースト領域を有するフレームを受信し、前記ＭＣＩＤに対応するＭＢＳバースト領域のデータを分類して抽出するステップと、前記抽出されたデータのＭＣＩＤに対応するバッファ領域に前記抽出されたデータを保存するステップと、前記バッファ領域に保存されたデータのＩＰヘッダに含まれたマルチキャストＩＰアドレス情報を利用して前記ＭＢＳチャネルを識別してサービスを提供するステップとを含む。
【発明の効果】
【００１６】
本発明は、無線接続システムにおいて、ＭＢＳ（Ｍｕｌｔｉｃａｓｔ  ａｎｄ  Ｂｒｏａｄｃａｓｔ  Ｓｅｒｖｉｃｅ）モードを利用してユーザにマルチキャスト連結識別子を割当てることができる。
【００１７】
また、本発明は、無線接続システムでＭＢＳサービス要請時データの類型に応じて所定のＭＣＩＤを割当て、割当てられたＭＣＩＤを全体放送領域に同一の値で固定することによって基地局装置間を移動する端末のハンドオーバーによるサービスの切れ現象を解決し、放送チャネル間の転換時間を短縮することができる。
【図面の簡単な説明】
【００１８】
【図１】ＭＢＳ提供のための装置構成要素と網の構成を示す一般的な概念図である。
【図２】本発明の実施形態による無線接続システムの基地局の構成図である。
【図３】本発明の実施形態による無線接続システムの端末の構成図である。
【図４Ａ】本発明の実施形態による無線接続システムでマルチキャスト連結識別子割当過程を図示した図である。
【図４Ｂ】本発明の実施形態による無線接続システムでマルチキャスト連結識別子割当過程を図示した図である。
【発明を実施するための形態】
【００１９】
本発明を説明するにおいて本発明と関連した公知技術に対する具体的な説明が本発明の要旨を不必要にぼかしうると判断される場合にその詳細な説明を省略するものとする。以下、添付された図面を参照して本発明による好ましい実施形態を詳細に説明する。
【００２０】
それではここで、図１を参照してＭＢＳ提供のための装置構成要素と網の構成をより具体的に説明する。
【００２１】
図１は、ＭＢＳ提供のための装置構成要素と網の構成を示す一般的な概念図である。
【００２２】
図１を参照すれば、本発明の実施形態による無線接続システムは、コンテンツ分配網１００、ＡＳＮ１１０、基地局１３０、および端末１５０を備える。前記コンテンツ分配網１００は、ＭＢＳサーバ１７０を備える。本発明ではＭＰＥＧ２−ＴＳデータがＩＰパケット化されてＭＢＳサーバ１７０と、端末１５０間にあらかじめ設定された経路を介して伝達され、前記端末１５０と基地局１３０間の無線接続手続は、８０２．１６系列の広域無線接続システムの規格に準ずると仮定して説明する。
【００２３】
ユーザは、端末１５０を利用してＭＢＳチャネルを選択すれば、端末１５０は、ＭＢＳチャネル連結要請メッセージを基地局１３０に伝送する。ここで、前記端末１５０は、無線接続網に連結されて多様なデータを送受信して前記送受信されたデータを処理する。前記基地局１３０は、マクロダイバーシティ（ｍａｃｒｏ  ｄｉｖｅｒｓｉｔｙ）機能支援のための無線資源制御とデータチャネルを管理する。
【００２４】
そうならば、基地局１３０は、ＭＢＳチャネル連結要請メッセージをＭＢＳサーバ１７０に伝送する。前記ＭＢＳサーバ１７０は、コンテンツＩＤ、プログラムＩＤ、ＩＰマルチキャストアドレス、ＭＢＳ  ｚｏｎｅ  ＩＤおよびＭＣＩＤの組合せのチャネルまたはプログラム情報を含み、ＩＰマルチキャストグループ管理、プログラム管理、サービスガイドの公知および配布、セッション管理、データ暗号化およびキーを管理する。
【００２５】
ＭＢＳサーバ１７０は、端末１５０によって要請されたＭＢＳチャネル連結要請メッセージを利用して加入者認証およびサービス認証を行う。認証が成功の場合、要請されたＭＢＳチャネルの利用に必要なユーザＩＤ、プログラムＩＤ、復号化キーのような多様な情報をＭＢＳチャネル連結要請に対する応答メッセージとして、改めて端末１５０に伝送する。そして、ＭＢＳサーバ１７０は、ＡＳＮ１１０にＭＢＳチャネルサービスの開始を知らせる。
【００２６】
前記ＡＳＮ装置１１０は、ＭＢＳサーバの制御に応じてチャネル設定、セッション管理、同期制御、データ経路の設定および解除等のような機能を遂行する。すなわち、ＡＳＮ装置１１０はＭＢＳサーバ１７０からＭＢＳチャネルサービスの開始を知らせるメッセージを受信すると、ＭＢＳバースト領域に対する予約を要請する予約メッセージを基地局１３０に伝送する。
【００２７】
それで、前記基地局１３０は、前記ＭＢＳサーバ１７０から予約メッセージを受信し、前記予約メッセージに対する応答メッセージをＡＳＮ１１０に伝送する。そして、ＭＢＳサーバ１７０とＡＳＮ１１０はあらかじめ決定された手続に応じてＭＢＳサーバ１７０とＡＳＮ１１０間のＭＢＳチャネルデータを伝送するための経路設定を相互間で遂行する。
【００２８】
前記ＭＢＳサーバ１７０は、ＭＢＳチャネルデータを伝送するための経路設定が終了すると、ＭＢＳサーバ１７０は、ユーザが端末１５０を介して要請したＭＰＥＧ２−ＴＳ形態のデータをＩＰパケットに変換して設定された経路を介して基地局１３０に伝送する。
【００２９】
前記基地局１３０は、ＩＰパケットを分析して得られたパケット属性情報とＭＣＩＤ／ＭＢＳバースト領域情報を利用して入力パケットの属性に対応されるＭＣＩＤを含むＭＢＳバースト領域を構成する。そして、前記基地局１３０は、ＭＢＳバースト領域と前記ユニキャスト形態のサービスのためのデータ領域と結合して完全なフレームを構成し、前記構成されたフレームを端末１５０に送信する。
【００３０】
前記端末１５０は、パケットのＩＰヘッダに含まれたマルチキャストＩＰアドレス情報に応じてユーザが要請したＭＢＳチャネルを識別することによって、特定ＭＢＳチャネルに対するサービスを提供することができる。ここで、各々のチャネルは互いに異なるマルチキャストＩＰアドレスを利用して区分される。前記端末１５０は、ＭＢＳサーバ１７０から周期的にあるいは非周期的に放送チャネルに対するチャネル情報を受信し、放送チャネルに対するサービス連結要請と解除はＩＧＭＰ  ｊｏｉｎおよびｌｅａｖｅメッセージによって行われる。
【００３１】
マルチキャストＩＰアドレス、ＭＢＳ  ｚｏｎｅ  ＩＤ等が含まれる。サービス連結要請と解除メッセージは、端末１５０と基地局１３０間の点対点（ｐｏｉｎｔ−ｔｏ−ｐｏｉｎｔ）連結によって行われる。放送コンテンツは、リアルタイムで提供される放送サービスのＭＢＳ形態のサービスとＶｏＤのような形態で提供される放送サービスのユニキャスト形態のサービスに分けて提供され、このような放送サービスの提供形態は放送チャネル情報に含まれる。
【００３２】
ＭＢＳ形態の放送コンテンツは、基地局１３０と前記加入者の端末１５０間に点対多点（ｐｏｉｎｔ−ｔｏ−ｍｕｌｔｉｐｏｉｎｔ）連結を有し、ユニキャスト形態の放送コンテンツは、前記基地局１３０と前記加入者の端末１５０間に点対点（ｐｏｉｎｔ−ｔｏ−ｐｏｉｎｔ）連結を有する。ここで、図３を参照して本発明の実施形態による無線接続システムの端末１５０の構成要素に対して、より具体的に説明する。
【００３３】
図３は、本発明の実施形態による無線接続システムの端末１５０の構成図である。
【００３４】
図３を参照すれば、本発明の実施形態による無線接続システムの端末１５０は、バッファ制御部２５７、要請分析部２５９、アプリケーションプログラム実行部２６１、フレーム送信部２６３、フレーム受信部２５１、フレーム分類部２５３、およびフレームバッファ２５５を備える。ユーザは、前記アプリケーションプログラム実行部２６１で動作するアプリケーションプログラム、例えばＥＰＧ（Ｅｌｅｃｔｒｏｎｉｃ  Ｐｒｏｇｒａｍ  Ｇｕｉｄｅ）によって視聴できるチャネルに対するチャネル情報をＭＢＳサーバ１７０から受信する。ここで、前記チャネルに対するチャネル情報は、プログラムＩＤ、マルチキャストＩＰアドレス、ＭＢＳゾーンＩＤを備える。
【００３５】
ユーザは、端末１５０のアプリケーションプログラム実行部２６１で動作するアプリケーションプログラムを介してＭＢＳチャネルを選択し、端末１５０は、前記ユーザの選択に応じてＭＢＳチャネル選択信号またはＭＢＳチャネル終了信号を生成する。前記要請分析部２５９は、前記アプリケーションプログラム実行部２６１からＭＢＳチャネル選択信号を受信し、受信したＭＢＳチャネル選択信号を利用して要請されたＭＢＳチャネルに対する連結が最初の連結要請なのか否かをＭＢＳフラッグの設定状態によって確認する。
【００３６】
もし、前記ＭＢＳフラッグの確認結果、ユーザがＭＢＳゾーンに初めて接続したと判断されると、前記要請分析部２５９は、バッファ割当政策を行い、バッファ制御部２５７は、前記バッファ割当政策に応じてＭＣＩＤ別にバッファを割当てる。ここで、前記ＭＢＳフラッグの確認結果、ユーザが同一のＭＢＳゾーンに改めて接続したと判断されると、前記のような過程を省略する。
【００３７】
より具体的に説明すれば、要請分析部２５９は、前記ＭＢＳフラッグの状態に応じてユーザがＭＢＳゾーンの最初に接続したユーザなのか再接続したユーザなのかを判断する。そして、前記判断結果、前記ユーザがＭＢＳゾーンに初めて接続したと判断されると、前記要請分析部２５９は、バッファ割当政策を行う、前記バッファ割当政策は、ＭＢＳ形態のサービスのためにＭＰＥＧ２−ＴＳデータを構成するビデオデータ、オーディオデータ、およびテキストデータ等、属性別に独立したバッファの割当てに使用される政策であり、前記バッファ割当政策は、バッファの種類、各バッファの大きさ、各バッファに対応されるＭＣＩＤのような情報を含む。
【００３８】
前記バッファ制御部２５７は、前記要請分析部２５９からバッファ割当政策を受信し、前記受信したバッファ割当政策に応じてフレームバッファ２５５でビデオデータ、オーディオデータ、テキストデータ別にあらかじめ決定された大きさのバッファ空間を割当て、前記バッファの種類別に割当てられたアドレス情報をフレーム分類部２５３とアプリケーションプログラム実行部２６１に伝送する。そして、バッファ割当ての結果は要請分析部２５９に伝送する。
【００３９】
すなわち、前記ＭＢＳフラッグの確認結果、ユーザがＭＢＳゾーンの最初接続者と判断され、前記バッファ制御部２５７から受信したバッファ割当ての結果を背景としてバッファが正常に割当てられたと判断されると要請分析部２５９は、ＭＢＳフラッグの設定状態を最初要請でないことを示す値に修正する。そして、アプリケーションプログラム実行部２６１は、ユーザが選択した放送チャネルに対するＭＢＳチャネル連結要請メッセージを生成してフレーム送信部２６３に伝送する。
【００４０】
そして、前記ユーザが同一のＭＢＳゾーンにまた接続する場合にはバッファ割当政策および前記バッファ割当政策に応じてＭＣＩＤ別にバッファを割当てる過程を行わず、アプリケーションプログラム実行部２６１は、ユーザが選択した放送チャネルに対するＭＢＳチャネル連結要請メッセージを生成してフレーム送信部２６３に伝送する。
【００４１】
前記フレーム受信部２５１は、ＭＢＳサーバ１７０から前記ＭＢＳチャネル連結要請メッセージに対する応答メッセージであるＭＢＳチャネル連結要請応答メッセージを受信してフレーム分類部２５３に伝送する。この時、前記ＭＢＳチャネル連結要請応答メッセージは、ユーザＩＤ、プログラムＩＤおよび暗号化されたコンテンツの復旧のための復号化キー等、ユーザが選択したチャネルの正常な使用のために必要な情報を含む。
【００４２】
前記フレーム分類部２５３は、ＭＢＳサーバ１７０から伝送されたＭＢＳチャネル連結要請応答メッセージをユニキャストデータ用バッファに保存する。アプリケーションプログラム実行部２６１は、関連プログラムによってユニキャストデータに保存されたチャネル連結要請応答メッセージを読んで行く。
【００４３】
ここで、前記アプリケーションプログラム実行部２６１に位置した関連プログラムは、ＭＢＳチャネルデータを処理するための事前手続を行う。もし、前記フレーム分類部２５３が後述される図２の基地局１３０からＭＣＩＤ割当通知メッセージを受信すると、受信されたメッセージに含まれたＭＣＩＤ値を抽出して記録し、ＭＣＩＤ割当通知に対する応答メッセージを生成して後述される図２の基地局１３０に伝送する。
【００４４】
前記ＭＣＩＤ割当通知メッセージは、ＭＢＳチャネルデータのビデオデータ、オーディオデータ、テキストデータの属性に応じたＭＣＩＤ値を含む。ここで、前記端末１５０と後述される図２の基地局１３０間でＭＣＩＤ割当通知メッセージとＭＣＩＤ割当通知に対する応答メッセージが伝送される過程は、８０２．１６系列の広域無線接続システムで定義するＤＳＡ（Ｄｙｎａｍｉｃ  Ｓｅｒｖｉｃｅ  Ａｄｄｉｔｉｏｎ）手続に従う。
【００４５】
ＤＳＡ手続は、基地局１３０がＤＳＡ要請メッセージ（ＤＳＡ−ＲＥＱ）を端末１５０に伝送すると、前記端末１５０は、ＤＳＡ応答メッセージ（ＤＳＡ−ＲＳＰ）を前記基地局１３０に伝送し、前記基地局１３０は、改めてＤＳＡ応答メッセージに対するＤＳＡ確認メッセージ（ＤＳＡ−ＡＣＫ）を前記端末１５０に伝送する手続である。
【００４６】
前記フレーム分類部２５３があらかじめ決定されたＭＣＩＤに該当するＭＢＳバースト領域を有するフレームを受信すると、前記フレーム分類部２５３は、あらかじめ決定された各々のＭＣＩＤに対応するＭＢＳバースト領域のデータを分類して抽出する。そして、前記フレーム分類部２５３は、前記あらかじめ決定された各々のＭＣＩＤに該当するバッファに前記抽出したデータを保存する。
【００４７】
そして、前記アプリケーションプログラム実行部２６１は、前記アプリケーションプログラム実行部２６１は、ビデオデータ、オーディオデータ、テキストデータに分類された各々のバッファ領域に保存されたデータを映像再生機またはオーディオ再生機を利用して受信する。その後、アプリケーションプログラム実行部２６１は、パケットのＩＰヘッダに含まれたマルチキャストＩＰアドレス情報によってユーザが要請したＭＢＳチャネルを識別することによって特定ＭＢＳチャネルに対するサービスを提供することができる。それではここで、図２を参照して本発明の実施形態による無線接続システムの基地局１３０の構成要素に対して、より具体的に説明する。
【００４８】
図２は、本発明の実施形態による無線接続システムの基地局１３０の構成要素を概略的に図示した図である。
【００４９】
図２を参照すれば、前記基地局１３０は、第１送受信部２３１、組立部２３３、第２送受信部２３５、第１分析部２３７、制御部２３９および第２分析部２４１を備える。前記第２送受信部２３５は、端末１５０のフレーム送信部２６３からＭＢＳチャネル連結要請メッセージを受信し、前記受信したＭＢＳチャネル連結要請メッセージを第２分析部２４１に伝送する。
【００５０】
前記第２分析部２４１は、第２送受信部２３５から受信したＭＢＳチャネル連結要請メッセージを分析し、ＭＢＳチャネル連結要請メッセージを送ったユーザのＩＤまたはＣＩＤ、ＭＢＳ形態のサービス連結要請の可否、プログラムＩＤ、放送チャネルのマルチキャストＩＰアドレス等のような属性情報を抽出する。そして、第２分析部２４１は、前記抽出した属性情報を制御部２３９に伝送する。
【００５１】
ここで、ＭＢＳ形態のサービスに対する連結要請の可否は、受信されたメッセージの形態と内容で判断することができる。万一、受信されたＭＢＳチャネル連結要請メッセージがＩＧＭＰ  ｊｏｉｎメッセージの場合にはＭＢＳ形態のサービスに関する連結要請として判断することができる。また、受信されたＭＢＳチャネル連結要請メッセージがＩＧＭＰ  ｌｅａｖｅメッセージの場合には加入したＭＢＳ形態のサービスに対する連結解除要請として判断することができる。これ以外にもこのような目的のための別途の専用メッセージを利用することもできる。
【００５２】
前記制御部２３９は、前記第２分析部２４１から属性情報を受信し、受信した属性情報を利用してＭＣＩＤテーブルを検索する。前記検索結果に応じてＭＢＳチャネル連結要請メッセージを送信したユーザの識別情報、例えばユーザＩＤまたはＣＩＤに対する登録の可否を判断する。ここで、前記ＭＣＩＤテーブルは、ＭＣＩＤを使用中であるユーザ識別情報と該当ＭＣＩＤを介してサービス中である放送チャネルに対する情報であるマルチキャストＩＰアドレスとプログラムＩＤ等が記録されている。
【００５３】
ＭＢＳチャネル連結要請メッセージを送信したユーザの識別情報がＭＣＩＤテーブルに登録されていないならば、すなわちユーザがＭＢＳゾーンの最初接続したユーザならばＭＰＥＧ２−ＴＳデータのビデオ、オーディオおよびテキスト属性に応じてあらかじめ決定されたＭＣＩＤ値を前記図３の端末１５０に伝送する。そして、前記制御部２３９は、第１送受信部２３１を介してＭＢＳチャネル連結要請メッセージをＭＢＳサーバ１７０に伝送する。
【００５４】
もし、ＭＢＳチャネル連結要請メッセージを送信したユーザの識別情報がＭＣＩＤテーブルにすでに登録された状態ならば、すなわちユーザが同一のＭＢＳゾーンに改めて接続した場合には前記のような過程なく、前記制御部２３９は、第１送受信部２３１を介してＭＢＳチャネル連結要請メッセージをＭＢＳサーバ１７０に伝送する。
【００５５】
次に、前記制御部２３９は、ＭＣＩＤ／ＭＢＳバースト割当情報を組立部２３３に伝送し、ＭＢＳチャネル連結要請メッセージをＡＳＮ１１０に伝送する。その後、前記ＡＳＮ１１０は、ＭＢＳチャネル連結要請メッセージをＭＢＳサーバ１７０に伝送する。前記ＭＢＳサーバ１７０は、端末１５０によって要請されたＭＢＳチャネル連結要請に対して加入者認証およびサービス認証を行う。もし、認証が成功の場合、前記ＡＳＮ１１０は、ＭＢＳチャネル連結要請に対する応答メッセージを改めて前記図３の端末１５０に伝送する。
【００５６】
そして、前記ＭＢＳサーバ１７０は、ＡＳＮ１１０にＭＢＳチャネルサービスの開始を知らせる開始メッセージを伝送する。前記ＡＳＮ１１０は、前記ＭＢＳサーバ１７０から開始メッセージを受信すると、基地局１３０にＭＢＳバースト領域に対する予約を要請する予約メッセージを伝送する。
【００５７】
前記基地局１３０の制御部２３９は、前記ＡＳＮ１１０から予約メッセージを受信し、前記制御部２３９は、ＭＣＩＤテーブルに記録された各々のＭＣＩＤに対応するバースト領域を予約する。その後、制御部２３９は、ＭＢＳバースト領域の予約要請に対する応答メッセージを前記ＡＳＮ１１０に伝送する。前記基地局１３０は、あらかじめ決定された方法にしたがいＭＢＳサーバ１７０とＡＳＮ１１０間、基地局１３０とＡＳＮ１１０間にＭＢＳチャネルデータを伝達するための経路設定を相互間で行う。
【００５８】
そして、ＭＢＳバーストの予約およびＭＢＳチャネルデータに対する経路設定が正常に終了した後、ユーザがＭＢＳゾーンの最初の接続者なのかを判断する。前記判断結果、ユーザがＭＢＳゾーンに最初に接続したユーザならば、前記制御部２３９は、前記図３の端末１５０にＭＣＩＤ割当通知メッセージを送信する。前記判断結果、ユーザが同一のＭＢＳゾーンに改めて接続する場合には制御部２３９は、前記のような過程を省略して前記経路設定によって獲得した属性情報、例えばユーザ識別情報、プログラムＩＤ、マルチキャストＩＰアドレスなどをＭＣＩＤテーブルに更新する。
【００５９】
前記ＭＢＳチャネルデータ属性別のＭＣＩＤ割当通知メッセージは、ＭＢＳチャネルデータのビデオ、オーディオ、テキスト属性に応じてＭＣＩＤ値を含む。前記経路設定が終了した後、前記ＭＢＳサーバ１７０は、ユーザが図３の端末１５０を介して要請したＭＰＥＧ２−ＴＳデータをＩＰパケット化されたデータに変換し、前記変換されたＩＰパケット形態のデータを、前記ＡＳＮ１１０を介して基地局１３０の第１送受信部２３１に送信する。前記第１送受信部２３１は、ＩＰパケット化されたＭＰＥＧ２−ＴＳデータのヘッダ情報を抽出する。
【００６０】
そして、第１送受信部２３１は、前記抽出されたヘッダ情報を第１分析部２３７に伝送する。前記第１分析部２３７は、前記抽出されたヘッダ情報を分析して前記受信されたパケットのソースＩＰアドレスまたは目的地ＩＰアドレス等を抽出する。そして、第１分析部２３７は、前記ソースＩＰアドレスまたは目的地ＩＰアドレスを利用してＭＢＳ形態のデータとユニキャスト形態のデータに区分する。
【００６１】
特に、前記抽出されたＩＰアドレスにＭＢＳチャネルに対するマルチキャストＩＰアドレスが含まれた場合には受信されたパケットがＭＢＳ形態のサービスに対するデータを含むと判断する。したがって、このような場合には第１分析部２３７はマルチメディア属性を利用して前記受信されたパケットの属性をビデオ、オーディオまたはテキストに改めて分類し、前記分析された情報を組立部２３３に伝送する。
【００６２】
前記組立部２３３は、第１分析部２３７から受信したパケットの属性情報と制御部２３９から受信したＭＣＩＤ／ＭＢＳバースト割当情報を利用して入力パケットの属性に対応されるＭＣＩＤを含むＭＢＳバースト領域を構成した後、ユニキャスト形態のサービスのためのデータ領域と結合して完全なフレームを構成する。そして、前記組立部２３３は、前記構成したフレームを第２送受信部２３５に伝送する。
【００６３】
前記第２送受信部２３５は、ＭＢＳバースト領域を含むフレームデータを物理階層の規格に応じて変調した信号を無線区間に出力する。前記端末１５０のフレーム受信部２５１は、前記基地局１３０の第２送受信部２３５からフレームを受信して前記分類部２５３に伝送する。前記分類部２５３は、前記フレームがあらかじめ設定されたＭＣＩＤに該当するＭＢＳバースト領域を有するフレームである場合、前記フレームを前記あらかじめ設定されたＭＣＩＤに対応するＭＢＳバースト領域のデータに分類して抽出する。
【００６４】
ここで、図４Ａ、Ｂを参照して本発明の実施形態による無線接続システムにおけるマルチキャスト連結識別子割当過程をより具体的に説明する。
【００６５】
図４Ａ、Ｂは、本発明の実施形態による無線接続システムでマルチキャスト連結識別子割当過程を図示した図である。
【００６６】
図４Ａ、Ｂを参照すれば、ユーザは、３０１ステップにおいて前記アプリケーションプログラム実行部２６１で動作するアプリケーション、例えばＥＰＧ（Ｅｌｅｃｔｒｏｎｉｃ  Ｐｒｏｇｒａｍ  Ｇｕｉｄｅ）によって視聴できるチャネルに対するチャネル情報をＭＢＳサーバ１７０から受信する。ここで、前記チャネルに対するチャネル情報は、プログラムＩＤ、マルチキャストＩＰアドレス、ＭＢＳゾーンＩＤを含む。
【００６７】
ユーザは、３０３ステップでＭＢＳサーバ１７０はアプリケーションによってＭＢＳチャネルを選択して、ＭＢＳチャネル選択信号またはＭＢＳチャネル終了信号を生成する。前記要請分析部２５９は、３０７ステップで前記アプリケーションプログラム実行部２６１からＭＢＳチャネル選択信号を受信し、受信したＭＢＳチャネル選択信号を利用して要請されたＭＢＳチャネルに対する連結が最初の連結要請なのか否かをＭＢＳフラッグの設定状態によって確認する。もし、処理中のチャネル選択信号がＭＢＳチャネルに対する最初の連結要請ならば、前記要請分析部２５９は３０９ステップでバッファ割当政策を行う。
【００６８】
ここで、バッファ割当政策は、ＭＢＳ形態のサービスのためにＭＰＥＧ２−ＴＳデータを構成するビデオデータ、オーディオデータ、およびテキストデータ等、属性別に独立したバッファの割当てに使用される政策である。バッファ割当政策は、バッファの種類、各バッファの大きさ、各バッファに対応されるＭＣＩＤのような情報を含む。
【００６９】
前記バッファ制御部２５７は、３１１ステップで前記要請分析部２５９からバッファ割当政策を受信し、前記受信したバッファ割当政策に応じてフレームバッファ２５５でビデオデータ、オーディオデータ、テキストデータ別にあらかじめ決定された大きさのバッファ空間を割当てる。そして、前記バッファの種類別に割当てられたアドレス情報をフレーム分類部２５３とアプリケーションプログラム実行部２６１に伝送する。そして、バッファ割当ての結果は要請分析部２５９に伝送する。
【００７０】
すなわち、前記要請分析部２５９はアプリケーションプログラム実行部２６１から受信したＭＢＳチャネル選択信号を利用して要請されたＭＢＳチャネルに対する連結が最初連結で、前記バッファ制御部２５７から受信したバッファ割当の結果を背景としてバッファが正常に割当てられたと判断されれば、要請分析部２５９はＭＢＳフラッグの設定状態を最初要請でないことを表す値で修正する。そして、同一のユーザがＭＢＳチャネルに対するサービス連結を要請する場合には前記３０９ステップと３１１ステップを行わない。
【００７１】
アプリケーションプログラム実行部２６１は、３１３ステップでユーザが選択した放送チャネルに対するＭＢＳチャネル連結要請メッセージを生成してフレーム送信部２６３に伝送する。ここでフレーム送信部２６３は、基地局１３０に伝送するデータ、例えばアプリケーションプログラム実行部２６１で生成されたＭＢＳチャネル連結要請メッセージ等を物理階層の特性および指定された構造に応じてフレームに構成する。そして、フレーム送信部２６３は、基地局１３０の無線資源の接続制御に応じて構成されたフレームを基地局１３０に伝送する。
【００７２】
ここで、前記ＭＢＳチャネル連結要請メッセージは、前記３０１ステップと３０５ステップの間で基地局１３０に伝送されることもできる。基地局１３０の第２送受信部２３５は、３３１ステップで端末１５０のフレーム送信部２６３からＭＢＳチャネル連結要請メッセージを受信して第２分析部２４１に伝送し、前記第２分析部２４１は、第２送受信部２３５から受信したＭＢＳチャネル連結要請メッセージを分析する。そして、前記第２送受信部２３５は、ＭＢＳチャネル連結要請メッセージを送ったユーザのＩＤまたはＣＩＤ、ＭＢＳ形態のサービス連結要請の可否、プログラムＩＤ、放送チャネルのマルチキャストＩＰアドレス等のようなチャネル情報を抽出する。そして、第２分析部２４１は、前記抽出したチャネル情報を制御部２３９に伝送する。
【００７３】
ここで、ＭＢＳ形態のサービスに対する連結要請の可否は受信されたメッセージの形態と内容で判断することができる。もし受信されたＭＢＳチャネル連結要請メッセージがＩＧＭＰ  ｊｏｉｎメッセージの場合にはＭＢＳ形態のサービスに関する連結要請として判断することができる。また、受信されたＭＢＳチャネル連結要請メッセージがＩＧＭＰ  ｌｅａｖｅメッセージの場合には加入したＭＢＳ形態のサービスに対する連結解除要請として判断することができる。これ以外にもこのような目的のための別途の専用メッセージを利用することもできる。
【００７４】
前記制御部２３９は、３３３ステップで前記第２分析部２４１からチャネル情報を受信し、受信したチャネル情報を利用してＭＣＩＤテーブルを検索する。前記検索結果に応じてＭＢＳチャネル連結要請メッセージを送信したユーザの識別情報、例えばユーザＩＤまたはＣＩＤに対する登録の可否を判断する。ここで、前記ＭＣＩＤテーブルは、ＭＣＩＤを使用中のユーザ識別情報と該当ＭＣＩＤによってサービス中である放送チャネルに対する情報であるマルチキャストＩＰアドレスとプログラムＩＤ等が記録されている。
【００７５】
ＭＢＳチャネル連結要請メッセージを送信したユーザの識別情報がＭＣＩＤテーブルにすでに登録された状態ならば、ユーザの端末１５０に別途のＭＣＩＤ値を伝送せず、もし、最初の要請に関するものならば、ＭＰＥＧ２−ＴＳデータのビデオ、オーディオおよびテキスト属性に応じてあらかじめ決定されたＭＣＩＤ値を加入者の端末１５０に伝送する。ここで、同一のユーザがＭＢＳチャネルに対するサービス連結を要請する場合には前記あらかじめ決定されたＭＣＩＤ値を加入者の端末１５０に伝送しない。
【００７６】
次に、前記制御部２３９は、３３５ステップでＭＣＩＤ／ＭＢＳバースト割当情報を組立部２３３に伝送し、ＭＢＳチャネル連結要請メッセージをＡＳＮ１１０に伝送する。その後、前記ＡＳＮ１１０は、ＭＢＳチャネル連結要請メッセージをＭＢＳサーバ１７０に伝送する。前記ＭＢＳサーバ１７０は、３９１ステップで端末１５０によって要請されたＭＢＳチャネル連結要請に対して加入者認証およびサービス認証を行う。
【００７７】
もし、認証が成功の場合、前記ＡＳＮ１１０は３９３ステップでＭＢＳチャネル連結要請に対する応答メッセージを改めて端末１５０に伝送する。この時、前記応答メッセージは、要請されたＭＢＳチャネルの利用に必要なユーザＩＤ、プログラムＩＤ、復号化キーのような多様な情報を含む。前記端末１５０のフレーム受信部２５１は、前記ＡＳＮ１１０から応答メッセージを受信し、前記フレーム受信部２５１は前記応答メッセージを分類部２５３に伝送する。
【００７８】
前記分類部２５３は、ＭＢＳチャネル連結要請に対する応答メッセージをユニキャストデータ用バッファに保存する。前記アプリケーションプログラム実行部２６１は、関連プログラムによってユニキャストデータ用バッファに保存されたチャネル連結要請応答メッセージを実行する。アプリケーションプログラム実行部２６１は、ＭＢＳチャネル連結要請に対する応答メッセージに含まれた情報、例えばユーザＩＤ、プログラムＩＤ、復号化キー等を利用して、後に伝送されたＭＢＳチャネルデータを処理するための事前手続を行う。
【００７９】
そして、前記ＭＢＳサーバ１７０は、３９５ステップでＡＳＮ１１０にＭＢＳチャネルサービスの開始を知らせる開始メッセージを伝送する。前記ＡＳＮ１１０は、前記ＭＢＳサーバ１７０から開始メッセージを受信すると、基地局１３０にＭＢＳバースト領域に対する予約を要請する予約メッセージを伝送する。
【００８０】
前記基地局１３０の制御部２３９は、３７１ステップで前記ＡＳＮ１１０から予約メッセージを受信し、制御部２３９は、３３７ステップでＭＣＩＤテーブルに記録された各々のＭＣＩＤに対応するバースト領域を予約する。その後、制御部２３９は、３３９ステップでＭＢＳバースト領域の予約要請に対する応答メッセージを前記ＡＳＮ１１０に伝送する。前記基地局１３０は、３４１ステップであらかじめ決定された方法に応じてＭＢＳサーバ１７０とＡＳＮ１１０間、基地局１３０とＡＳＮ１１０間にＭＢＳチャネルデータを伝達するための経路設定を相互間に行う。
【００８１】
そしてＭＢＳバーストの予約およびＭＢＳチャネルデータに対する経路設定が正常に終了した後、前記基地局１３０は、３４３ステップでＭＢＳチャネル選択信号を利用して要請されたＭＢＳチャネルに対する連結が最初の連結要請なのかを判断する。もし、前記判断結果、ＭＢＳチャネルに対する連結が最初の連結ならば、そして加入者およびＭＢＳサービス認証が成功だった場合、前記基地局１３０は、３４５ステップでＭＢＳチャネルデータ属性別ＭＣＩＤ割当通知メッセージを端末１５０にする。ここで、前記ＭＢＳチャネルデータ属性別ＭＣＩＤ割当通知メッセージは、ＭＢＳチャネルデータのビデオ、オーディオ、テキスト属性に応じたＭＣＩＤ値を含む。
【００８２】
前記端末１５０のフレーム受信部２５１は、前記基地局１３０からＭＢＳチャネルデータ属性別ＭＣＩＤ割当通知メッセージを受信して前記分類部２５３に伝送する。前記分類部２５３は、前記ＭＢＳチャネルデータ属性別ＭＣＩＤ割当通知メッセージに含まれたＭＣＩＤ値を抽出して記録する。その後、前記端末１５０のフレーム受信部２５１は、３１５ステップでＭＣＩＤ割当通知に対する応答メッセージを生成して基地局１３０に伝送する。
【００８３】
もし、ＭＢＳチャネル選択信号を利用して要請されたＭＢＳチャネルに対する連結が最初の連結要請ではなかったとすると、前記基地局１３０の前記３４５ステップを行わず、３４７ステップで属性情報、例えばユーザ識別情報、プログラムＩＤ、マルチキャストＩＰアドレス等をＭＣＩＤテーブルに更新する。
【００８４】
ここで、前記端末１５０と前記基地局１３０間でＭＣＩＤ割当通知メッセージとＭＣＩＤ割当通知に対する応答メッセージが伝送される過程は、８０２．１６系列の広域無線接続システムで定義するＤＳＡ（Ｄｙｎａｍｉｃ  Ｓｅｒｖｉｃｅ  Ａｄｄｉｔｉｏｎ）手続に従う。ＤＳＡ手続は、基地局１３０がＤＳＡ要請メッセージ（ＤＳＡ−ＲＥＱ）を端末１５０に伝送すると、前記端末１５０は、ＤＳＡ応答メッセージ（ＤＳＡ−ＲＳＰ）を前記基地局１３０に伝送し、前記基地局１３０は、改めてＤＳＡ応答メッセージに対するＤＳＡ確認メッセージ（ＤＳＡ−ＡＣＫ）を前記端末１５０に伝送する手続で動作する。
【００８５】
前記経路設定が終了した後、前記ＭＢＳサーバ１７０は、３９７ステップでユーザが端末１５０を介して要請したＭＰＥＧ２−ＴＳデータをＩＰパケット化されたデータに変換し、前記変換されたＩＰパケット形態のデータを、前記ＡＳＮ１１０を介して基地局１３０の第１送受信部２３１に送信する。前記第１送受信部２３１は、ＩＰパケット化されたＭＰＥＧ２−ＴＳデータのヘッダ情報を抽出する。
【００８６】
そして、第１送受信部２３１は、前記抽出されたヘッダ情報を第１分析部２３７に伝送する。前記第１分析部２３７は、前記抽出されたヘッダ情報を分析して前記受信されたパケットのＩＰアドレスまたは目的地ＩＰアドレス等を抽出する。そして、第１分析部２３７は、３４９ステップで前記ＩＰアドレスまたは目的地ＩＰアドレスを利用してＭＢＳ形態のデータとユニキャスト形態のデータに区分する。
【００８７】
特に、前記抽出されたＩＰアドレスにＭＢＳチャネルに対するマルチキャストＩＰアドレスが含まれた場合には、受信されたパケットがＭＢＳ形態のサービスに対するデータを含むと判断する。したがって、このような場合には第１分析部２３７は、前記受信されたパケットの属性をビデオ、オーディオまたはテキストに改めて分類し、前記分析された情報を組立部２３３に伝送する。
【００８８】
前記組立部２３３は、３５１ステップで第１分析部２３７から受信したパケットの属性情報と制御部２３９から受信したＭＣＩＤ／ＭＢＳバースト割当情報を利用して入力パケットの属性に対応されるＭＣＩＤを含むＭＢＳバースト領域を構成した後、ユニキャスト形態のサービスのためのデータ領域と結合して完全なフレームを構成する。そして、前記組立部２３３は、前記構成したフレームを第２送受信部２３５に伝送する。
【００８９】
前記第２送受信部２３５は、３５３ステップでＭＢＳバースト領域を含むフレームデータを物理階層の規格に応じて変調した信号を無線区間に出力する。前記端末１５０のフレーム受信部２５１は、前記基地局１３０の第２送受信部２３５からフレームを受信して前記分類部２５３に伝送する。前記分類部２５３は、３１７ステップで前記フレームがあらかじめ設定されたＭＣＩＤに該当するＭＢＳバースト領域を有するフレームの場合、前記フレームを前記あらかじめ設定されたＭＣＩＤに対応するＭＢＳバースト領域のデータに分類して抽出する。
【００９０】
前記分類部２５３は、３１９ステップにおいて前記抽出されたデータを前記バッファ割当政策に応じて、フレームバッファ２５５でビデオデータ、オーディオデータ、テキストデータ別にあらかじめ決定された大きさのバッファ空間に記録する。前記アプリケーションプログラム実行部２６１は、ビデオデータ、オーディオデータ、テキストデータに分類された各々のバッファ領域に保存されたデータを映像再生機またはオーディオ再生機を利用して受信する。
【００９１】
その後、アプリケーションプログラム実行部２６１は、３２１ステップでパケットのＩＰヘッダに含まれたマルチキャストＩＰアドレス情報によって加入者が要請したＭＢＳチャネルを識別することによって特定ＭＢＳチャネルに対するサービスを提供することができる。
【００９２】
本発明は、無線接続システムにおいてＭＢＳ（Ｍｕｌｔｉｃａｓｔ  ａｎｄ  Ｂｒｏａｄｃａｓｔ  Ｓｅｒｖｉｃｅ）モードを利用してユーザにマルチキャスト連結識別子を割当てることができる。また、本発明は、無線接続システムでＭＢＳサービス要請時、データの類型に応じて所定のＭＣＩＤを割当て、割当てられたＭＣＩＤを全体放送領域に同一の値で固定することによって基地局装置間を移動する端末のハンドオーバーにともなうサービスの切れ現象を解決し、放送チャネル間の転換時間を短縮することができる。
【符号の説明】
【００９３】
１００  コンテンツ分配網
１１０  ＡＳＮ
１３０  基地局
１５０  端末
１７０  ＭＢＳサーバ
２３１  第１送受信部
２３３  組立部
２３５  前記第２送受信部
２３７  第１分析部
２３９  制御部  ＭＣＩＤテーブル
２４１  第２分析部
２５７  バッファ制御部
２５９  要請分析部
２６１  アプリケーションプログラム実行部
２６３  フレーム送信部
２５１  フレーム受信部
２５３  フレーム分類部
２５５  フレームバッファ
【図１】
2011124982.tif 000003
【図２】
2011124982.tif 000004
【図３】
2011124982.tif 000005
【図４Ａ】
2011124982.tif 000006
【図４Ｂ】
2011124982.tif 000007